(57)【要約】
【課題】不要となった家具を、廃棄処分するのではなく、リユースできるという発想に変えることである。
現在の家具は、化学物質を多く含んだものが多い。そういった人体に影響のある有害な家具を排し、健康的で人体にとって、癒しの効果をもたらす無垢の木材を多用したリユース形ユニットボックス家具をコンセプトとした。
【解決手段】基本ユニットボックス及び部品を作成し、各それぞれのユニットおよび部品を組み合わせ、本棚、タンス、室内ロフト、階段、ディスプレイパネル、間仕切り壁、とさまざまな家具を、自由に設計し、組み立て及び分解が可能である。しかも、部材はリユースタイプであり、再利用、再使用が可能、材料には、無垢の木材を使用している。そのため、シックハウス対策としても利用可能である。
【選択図】図７
0003099730.tif 000002
【実用新案登録請求の範囲】
【請求項１】
基本ボックスを基に、組み合わせにより、縦連結及び横連結し、オプション部品等含み組み付け及び分解が、容易で再利用可能なユニット家具ボックス。
【請求項２】
基本ボックスの組み合わせに、扉を取り付けることができ、取り付け方法が、極めて単純で、ビス、ナット二本一組により、取り付けすることができるユニットボックス、家具
【請求項３】
基本ボックス、タイプ２、縦横使用における、引き出しパネル裏板を、ビス及びナット2本1組により、固定し引き出しができるユニットボックス。
【請求項４】
基本ボックスタイプ、3、4、を組み合わせ、階段型家具を作成したりクローゼット及び間仕切り壁及びロフト、机、等オプションを組み合わせいろいろ想像力豊かな家具を自分で組むことのできるユニット家具ボックス
【考案の詳細な説明】
【技術分野】
【０００１】
　本考案は、組み立て分解が容易にでき、使用者の自由な発想により、組み付けのできる、リユースタイプ、ユニットボックス家具に関するものである
【背景技術】
【０００２】
建物内において、家具は、必要不可欠かつ重要な役割をしている。しかし、実用的であった家具も、生活スタイル及び環境が変わることにより、不必要になってくる可能性がある。
【０００３】
タンス等、大型家具の場合不必要になったとき、処分には必要以上に経費のかかるものである。価値のあるものであれば、リサイクルショップ等で引き取ってもらえるが、その金額もほとんどゼロに近い数字であるのが現状である。たとえうまく処分できたことであっても、その処分のための、地球環境負荷は、はかりしれないものがある。
【０００４】
最近では、特に輸入家具が多く見受けられるが、こういった家具はデザイン的には素晴らしいものがあると思われるが、機能面において日本人の生活スタイルにあっていない面が見受けられる。
【０００５】
構造的な部分においても、ある1部の家具は100年以上の使用に耐えられるものもあるようではあるが、価格の安いものは総じて、安易な作りになっているのが現状である。
【０００６】
そして、家具において、現在1番問題となっていることは、化学物質の問題である。住宅におけるシックハウスの問題で、新法が成立されたが、家具はいまだ、法的整備がされていないのが現状である。家具作成時の接着剤等には、VOC等ホルムアルデヒド、トルエン、キシレン、等有害物質を含んだものが数多く存在する。総じて考察すると、健康的で再利用、再使用できる家具が少ないのが現状である。
【考案の開示】
【考案が解決しようとする課題】
【０００７】
不要となった家具を、廃棄処分するのではなく、リユースできるという発想に変えることである。
現在の家具は、化学物質を多く含んだものが多い。そういった人体に影響のある有害な家具を排し、健康的で人体にとって、癒しの効果をもたらす無垢の木材を多用したリユース形ユニットボックス家具をコンセプトとした。
【課題を解決するための手段】
【０００８】
基本ユニットとして、4種類のユニットボックスを作成する。大きさは、700×350×255
の大きさのボックス２種類及び、350×255×255の大きさ1種類、及び175×255×255、1種類、各それぞれを組み合わせ、組み合わせ家具を作成する、もちろん単体での使用も可能である。
【０００９】
大きさ、サイズの基本は、Ａ４サイズの書類の入る大きさ、（350）、およびデスクの高さ、約700を基本にモジュール寸法とした。
【００１０】
接続方法は、ビス及びナットによる接合であり、だれでも簡単にしかも強度を考慮した設計とし、部品をなくした場合を考慮し、市販の部品のビス及びナットにも対応するように考慮した。
【００１１】
オプション部材として、扉パネル、側板パネル、移動ローラーパネル、踏み板パネル、デッキパネル、引き出しパネル、引き出し、机パネル、机足、カウンターパネル等各種そろえ、これらを組み合わせ、使用者が各自自由に設計し、組み立て、組み付けができるように考慮した。
【００１２】
しかも、無垢木材を使用することにより、補修及び修理、修復といったことが容易になっている。
【００１３】
合板等を使用する従来の家具の場合、最初は見た目が、きれいではあるが、年月による劣化が大きい。しかも化学物質による、人体やの影響も懸念される。
【００１４】
それに対し無垢の木材は、表面が黒くなっても、表面を削り再塗装を施したり、再加工が容易であり、年月による劣化が少ない、しかも、化学物質の影響もない。年月を経るごとに、独特の深い色合いを出しつやが出てくるのも特徴である。
【００１５】
また木材、特有の調室作用及びマイナスイオン効果およびシックハウス対策としても効果が期待される。
【００１６】
木材には、杉及びヒノキの板材を使用する。その理由は、国産木材の使用を増やすためであり、現在山の荒廃が進んでいるが、そういった山の荒廃の防止の役目を果たすためでもある。
【考案の効果】
【００１７】
本考案の、リユースタイプユニットボックス家具は、自由に設計し、組み立て組み付けができ、リユースすることができるため廃棄処分する必要がなくなること及び、材料には、無垢木材を使用するため、シックハウス対策としても利用価値は大きい、という利点がある。
【考案を実施するための最良の形態】
【００１８】
家具という多種多様な形態およびデザインも、少ない部品点数の組み合わせにより、実現可能とした。
【実施例１】
【００１９】
図1のボックスタイプ1において、側板1−1、天板、底板１−４、中板、1−3、裏板１−２、の構成部品により組み立てられる。中板１−3は固定式で、可動しない。これは、ボックスを組み合わせたときに、強度不足にならないためでもあり、従来の収納の利用状況を考慮したとき、可動の必要性が、あまり重要ではないためでもある。
【００２０】
大きさは、外径寸法により、350×255×700、の大きさである。この大きさはボックスを横使いした場合、ひと区切り空間が、326×240×217になり、Ａ４サイズの出し入れに支障のない大きさが設定されている。
【００２１】
その基本モジュールを単位に、その他の部材寸法が決定されている。ボックスタイプ２は、外径寸法はタイプ１と同じだが中板が1枚になっている。
【００２２】
ボックスタイプ３は外径寸法、255×255×175、の大きさにより、寸法比較図5、参照により、縦寸法、700の4分の1の大きさ寸法となっている。
【００２３】
ボックスタイプ4は外径寸法255×255×350の大きさにより、寸法比較図５参照により、縦寸法700の2分の1の大きさとなっている。
【００２４】
図2には各部品が表示してある。デスク板6、外径寸法700×1050×30は、板になっており、板厚30ミリ、組み合わせ例図7の25でも示されている通り、組み合わせはさまざまであるが、ボックスの大きさを、基本モジュールとして、組み合わせすることができる。
デスク足7を取り付けることにより、デスク仕様の場合の足元スペースの確保を考慮している。
【００２５】
その他フリー板8、255×30、フリー板13、350×30、700板９、255×30×700、1400板10、255×30×1400、1400板11、350×30×1400、階段板12、255×30×510、となっている。
【００２６】
図３において、キャスター付きテーブル14は、外径寸法700×510の大きさで、使用方法は図６に示す仕様を考慮した。組み合わせをすることにより、子供部屋等への可動間仕切りとして、使用することが可能である。
【００２７】
ジョイント金具１５は、ボルト、六角ナット15−1、ワッシャー、15−2、で構成され、ボックスどうしおよび、板とボックス、を連結するために、重要な役割を果たす。ボルト長さは基本的にボックスどうしを連結する場合は同じ長さでよいが、板及びボックスの場合板厚が厚いため、長いボルトを使用する。
【００２８】
ジョイント金具15は、紛失等あった場合、市販の金具ボルト、ナットにも対応できるように考慮した。
【００２９】
ルーバーパネル16、は図８に示す仕様となる。
【００３０】
引き出し17、は図９に示す仕様となる。引き出し17は、ボックスタイプ２のみの仕様になり、ボックスの、縦使い、横使い両方に対応することができる。
【００３１】
構造はボックス２に、引き出し裏板18を、ジョイント金具15で両側固定し、そこに引き出しボックス17を収める方式である。
【００３２】
図4はジョイント方法、詳細図19である。接続にはジョイント金具15を使用し、基材には、段付き穴19−1が施されている。
【００３３】
段付きにすることにより、ボルト及びナットが基材に出っ張ることがなく、フラットに仕上がることを目的としている。
【００３４】
ジョイント金具詳細図20、加工断面図21、ジョイント金具納まり図22、により、詳細が図示されている。
【００３５】
図5は、ボックス構成参考例23である。このような組み合わせが可能である。
【００３６】
図６はキャスター付きボックス24、構成はキャスターテーブル14、を基に自由な組み合わせを考えることができる。
【００３７】
図７は、デスクタイプ25、の組み合わせ例である。図においては、デスク６をもとに、ボックスタイプ1、タイプ２、及び机足7、引き出しを組み合わせ、デスクタイプ25を構成している。
【００３８】
その他の組み合わせも自由に考案することができる。
【００３９】
図8は、ルーバーパネルボックス26である。基本構成はボックスタイプ1、ルーバーパネル16、パネル連結板26−1、自在兆番26−2により構成される。
【００４０】
接続は図に示す通り、あらかじめ連結板26−１にパネル16を、自在兆番26−2により接続し、ボックス１に、連結板26−１をはめ込み、ジョイント金具１５により固定する。という方式で、扉開閉によるガタつき防止は、板同士を木ビス等により、固定する方法で、回避できる。しかも、扉の傾きの微調整は、自在兆番26−2、の調整つまみによる。
【００４１】
図9は引き出しボックス27、詳細である。ボックスタイプ２を基に、裏板パネル18をはめ込み、ジョイント金具15にて接続し引き出し17をはめ込む。ボックスタイプ２を横使いしての引き出しボックス仕様も構成することができる。
【００４２】
図１０は、各ボックス及び、板の使用例である。ベンチ28は、ボックスタイプ4、板11の組み合わせである。タイプ4、縦使いのため高さ350となり、板厚30とプラスされ高さ380となり腰掛けとして、最適な高さを保つこととなる。板11の、幅寸法が、350で、ボックスタイプ4の幅255との差により、95の差が生じるが、これは足の蹴込み、ユーティリティーとして考慮されている。
【００４３】
ボックス組み合わせ、29は、各それぞれのボックスの組み合わせである。室内に自由に配したり、自由に組み合わせしたり、用途及び使用方法は、使用者によりさまざまである。
【００４４】
図11は、階段作成例である。階段タイプ30は、ボックスタイプ3、階段板１２、を組み合わせて構成される。タイプ3、横使いにより、蹴上げ175、踏み面255、幅510、となり、室内階段勾配としては、最適な寸法となっている。
【００４５】
階段組み合わせ例として、室内ロフト31を、1例として構成した。構成要素として、中間にロフト用床板9、10、をはさんでいる。組み合わせも、特殊なものはなく構成されている。
【００４６】
図１２は、組み合わせ例として、ディスプレイパネル32、を構成する。構成要素は、高さの同じ部品、または組み合わせで同じ高さとなる部品により、中間板１０、を挟み込み板パネル10および側板パネル13により固定し構成される。
【００４７】
側板13、の幅が350、の幅広を使用するのは、接地安定性を増すためである。こういったディスプレイパネルの可変性及び可動性は、再利用再使用が頻繁にできるため、店舗等のディスプレイ用のラック仕様においても、最大限の効果をもたらすことができる。　
【産業上の利用可能性】
【００４８】
基本ユニットボックス及び、部品が少ないため、大量生産に対応でき、コストを最大限押さえることができる。しかも、特殊な加工機械設備は必要なく、広く普及することができる。
【図面の簡単な説明】
【００４９】
【図１】ユニットボックスの基本構成ユニットである
【図２】ユニットボックスのパネル部材である
【図３】ユニットボックスの構成部品である
【図４】ユニットボックスの接続詳細図である
【図５】ユニットボックスの構成参考例、クローゼットである
【図６】ユニットボックスの構成参考例、キャスター付き移動間仕切りボックス
【図７】ユニットボックスの構成参考例、デスクタイプ組み合わせ例である
【図８】ユニットボックスの構成参考例、ルーバーパネル扉付きボックス
【図９】ユニットボックスの構成参考例、引き出し付きユニットボックス
【図１０】ユニットボックスの構成参考例、ベンチ及びその他の組み合わせ
【図１１】ユニットボックスの構成参考例、階段、ロフト付き階段
【図１２】ユニットボックスの構成参考例、ディスプレイパネル
【符号の説明】
【００５０】
１　　基本ユニットボックス、タイプ１
１−１　側板
１−２　裏板
１−３　中板
１−４　底板、天板
２　基本ユニットボックス、タイプ２
３　基本ユニットボックス、タイプ３
４　 基本ユニットボックス、タイプ４
５　　基本ユニットボックス、寸法比較図
６　デスク天板
７　デスク足
８　巾２５５のフリー板
９　２５５ｘ３０ｘ７００板
１０　　２５５ｘ３０ｘ１４００板
１１　　３５０ｘ３０ｘ１４００板
１２　　階段用踏み板
１３　　３５０巾フリー板
１４　キャスター付きテーブル
１４−１　キャスター
１５　接続ジョイント金具
１５−１　　ナット
１５−２　　ワッシャー
１６　　ルーバーパネル
１７　　引き出し
１８　　引き出し用裏板
１９　　接続詳細図１
１９−１　段付き溝キリ加工図
２０　　接続詳細図２
２１　　接続詳細図３、パネル加工断面
２２　　接続詳細図４
２３　　ユニットボックスの構成参考例、クローゼット
２４　　ユニットボックスの構成参考例、キャスター付き移動間仕切りボックス
２５　　ユニットボックスの構成参考例、デスクタイプ組み合わせ
２６　　ユニットボックスの構成参考例、ルーバーパネル扉付きボックス
２６−１　　ルーバーパネル取り付け用裏板
２６−２　　自在兆番
２７　　ユニットボックスの構成参考例、引き出し付きユニットボックス
２８　　ユニットボックスの構成参考例、ベンチ
２９　　ユニットボックスの構成参考例、各ボックス組み合わせ例
３０　　ユニットボックスの構成参考例、階段組み合わせ例
３１　　ユニットボックスの構成参考例、階段付きロフト例
３２　　ユニットボックスの構成参考例、ディスプレイパネル例
【図１】
0003099730.tif 000003
【図２】
0003099730.tif 000004
【図３】
0003099730.tif 000005
【図４】
0003099730.tif 000006
【図５】
0003099730.tif 000007
【図６】
0003099730.tif 000008
【図７】
0003099730.tif 000009
【図８】
0003099730.tif 000010
【図９】
0003099730.tif 000011
【図１０】
0003099730.tif 000012
【図１１】
0003099730.tif 000013
【図１２】
0003099730.tif 000014